(57)【特許請求の範囲】
【請求項１】
ハンガー主体に肩部を支持された上衣の胴部の内部に、重ね付けた広げ構造を入れた後に、上記広げ構造の下端を重力の作用で降下させることにより、上記胴部を筒状に広がらせる物干しハンガーであって、
上記ハンガー主体は、両端に上着の両肩部が掛る長さを有して、中央部の上側には吊鉤を取り付けられ、
上記胴部の広げ構造は、複数の広げ枠が可撓性の連結紐で上下方向に所定の間隔を保つように連結されて、上端の広げ枠は連結紐で上記ハンガー主体の下側へ取り付けられ、
下端の広げ枠は、胴部を広がらせるのに必要な重力が得られる重さを有して、中心部に設けられた止索部に吊上索の先端が止着され、
上記吊上索は、ハンガー主体に開けられた孔と他の広げ枠の内側とを通過するとともに、上記孔の近くに取り付けられた制止部材によって動きを制止可能であり、
上記吊上索の動きを制止することで、上記複数の広げ枠を上記ハンガー主体の下側へ重ね付け可能としたことを特徴とする物干しハンガー。
【請求項２】
ハンガー主体に肩部を支持された上衣と下衣の繋ぎ衣の胴部から脚部までの内部に、重ね付けた広げ構造を入れた後に、上記広げ構造の下端を重力の作用で降下させることにより、上記胴部から上記脚部までを筒状に広がらせる物干しハンガーであって、
上記ハンガー主体は、両端に上着の両肩部が掛る長さを有して、中央部の上側には吊鉤を取り付けられ、
上記胴部から脚部までの広げ構造は、多数の広げ枠が可撓性の連結紐で上下方向に所定の間隔を保つように連結されて、上端の広げ枠は連結紐で上記ハンガー主体の下側へ取り付けられ、
下端の広げ枠は、胴部を広がらせるのに必要な重力が得られる重さを有して、中心部に設けられた止索部に吊上索の先端が止着され、
上記吊上索は、ハンガー主体に開けられた孔と他の広げ枠の内側とを通過するとともに、上記孔の近くに取り付けられた制止部材によって動きを制止可能であり、
上記吊上索の動きを制止することで、上記複数の広げ枠を上記ハンガー主体の下側へ重ね付け可能としたことを特徴とする物干しハンガー。
【請求項３】
上記ハンガー主体が長さを上記広げ枠に近い寸法に形成されて、両端にガイドに案内させて外側へ移動させると、上衣の袖部へ挿し入れられ、内側へ移動させると袖部から外れる長さの調整部材を取り付けられていることを特徴とする請求項１又は請求項２に記載の物干しハンガー。
【請求項４】
上記ハンガー主体の上側に取り付けられた上記吊鉤が、その基部をハンガー主体へ回動可能に取り付けられて、ハンガー主体の上側へ畳み付けられるようにしてあることを特徴とする請求項１又は請求項２に記載の物干しハンガー。
【請求項５】
ハンガー主体に腰部を支持された二股形下衣の腰部から脚部の内部に、重ね付けた広げ構造を入れた後に、上記広げ構造の下端を重力の作用で降下させることにより、上記腰部から上記脚部を筒状に広がらせる物干しハンガーであって、
上記ハンガー主体は、ズボンの腰部を嵌め付けて、止具で離脱しないようにする枠体が上部に吊鉤を取り付けられたものであり、
上記胴部及び脚部の広げ構造は、ズボンの腰部から脚部への先細りに適合するように形成された広げ枠の複数が、可撓性の連結紐で上下方向に所定の間隔を保つように連結された左用と右用の２組であって、
各組の上端の広げ枠は連結紐で上記ハンガー主体の下側へ取り付けられ、下端の広げ枠は胴部及び脚部を広がらせるのに必要な重力が得られる重さを有して、中心部に設けられた止索部に吊上索の先端が止着され、
上記吊上索は、ハンガー主体に開けられた孔と他の広げ枠の内側とを通過するとともに、上記孔の近くに取り付けられた制止部材によって動きを制止可能であり、
上記吊上索の動きを制止することで、上記複数の広げ枠を上記ハンガー主体の下側へ重ね付け可能としたことを特徴とする物干しハンガー。
【発明の詳細な説明】
【技術分野】
【０００１】
本発明は、濡れた衣服を筒状に広がらせて乾燥し易くする物干しハンガーに関する。
【背景技術】
【０００２】
ハンガーにおいて、複数の袖用骨部が衣服の袖部内側に通して、袖部内側の複数の箇所を内側から広げるようして保持し、複数の本体用骨部が衣服の本体部内側に通して本体内側の複数個所を内側から放射状に延びるように広げるので、袖部及び本体部の内側で正面側の生地と背面側の生地が張った状態で立体的に保持して空間ができ、衣服の形状を崩さず皺をつけずに空気に触れて水分が乾燥する表面積が拡大し、効率的に衣服の水分を乾燥させることが可能となるものは、特許文献１により知られている。
【０００３】
しかしながら、上記ハンガーは、衣服の袖部の内側に袖用骨部を使用者が手に持ちながら袖部の大きさに対応するように通す。そして、同様に本体用骨部のそれぞれに対しても使用者が手に持ちながら本体部の内側の大きさに対応するようにして胴体の本体部の内側に通した後、各本体用骨部と各袖用骨部の中途部分を軸支するスライド部を使用者が係止部を操作して、スライド部を中心軸上をスライド移動させ、スライドする移動長さを調節することで、衣服のサイズに対応させて本体用骨部と袖用骨部を開いた状態とするもので、中心軸上の係止部のスライド移動はばねの弾性力によるか、人の力によって行なわせることで、衣服を袖部や胴部の生地が一定の張力で張るように広がらせるものであるから、ハンガーの袖用骨部と本体用骨部を衣類の袖部と本体に収まらせて、両骨部を各々の係止部のスライド移動させることで開かせて衣服の袖部と本体部を広がらせるためには少なくとも１分以上の時間を要し、しかも、袖用骨部と本体用骨部の係止部のスライド移動にばねの弾性力を利用するときは、この弾性力で袖用骨部と本体用骨部が開かれようとするから、この現象を抑えつつ骨部を衣服の袖部及び本体部へ通すためには、人の力を要し、ばねの弾性力を利用しないときは、袖用骨部と本体用骨部の係止部を移動させるのに人の力を必要とする。更に、このハンガーは、図面には簡略な構造で示されているが、洋傘と同様に数種類の細かい部品を関節で連結した複雑な構成であるため、製作費が嵩んで低廉に市場提供することは出来ないものである。
【先行技術文献】
【特許文献】
【０００４】
【特許文献１】特許第４６４４５８３号公報
【発明の概要】
【発明が解決しようとする課題】
【０００５】
本発明は、上着等を支持させて、広げ枠を重力の作用で降下させると、上着等の胴部が人の力によらず素早く筒状に広げられる物干しハンガーを提供することをその課題とする。
【課題を解決するための手段】
【０００６】
前記課題を解決するため、請求項１に係る発明は、ハンガー主体に肩部を支持された上衣の胴部の内部に、重ね付けた広げ構造を入れた後に、上記広げ構造の下端を重力の作用で降下させることにより、上記胴部を筒状に広がらせる物干しハンガーであって、上記ハンガー主体は、両端に上着の両肩部が掛る長さを有して、中央部の上側には吊鉤を取り付けられ、上記胴部の広げ構造は、複数の広げ枠が可撓性の連結紐で上下方向に所定の間隔を保つように連結されて、上端の広げ枠は連結紐で上記ハンガー主体の下側へ取り付けられ、下端の広げ枠は、胴部を広がらせるのに必要な重力が得られる重さを有して、中心部に設けられた止索部に吊上索の先端が止着され、上記吊上索は、ハンガー主体に開けられた孔と他の広げ枠の内側とを通過するとともに、上記孔の近くに取り付けられた制止部材によって動きを制止可能であり、上記吊上索の動きを制止することで、上記複数の広げ枠を上記ハンガー主体の下側へ重ね付け可能としたことを特徴とする。
【０００７】
請求項２に係る発明は、ハンガー主体に肩部を支持された上衣と下衣の繋ぎ衣の胴部から脚部までの内部に、重ね付けた広げ構造を入れた後に、上記広げ構造の下端を重力の作用で降下させることにより、上記胴部から上記脚部までを筒状に広がらせる物干しハンガーであって、上記ハンガー主体は、両端に上着の両肩部が掛る長さを有して、中央部の上側には吊鉤を取り付けられ、上記胴部から脚部までの広げ構造は、多数の広げ枠が可撓性の連結紐で上下方向に所定の間隔を保つように連結されて、上端の広げ枠は連結紐で上記ハンガー主体の下側へ取り付けられ、下端の広げ枠は、胴部を広がらせるのに必要な重力が得られる重さを有して、中心部に設けられた止索部に吊上索の先端が止着され、上記吊上索は、ハンガー主体に開けられた孔と他の広げ枠の内側とを通過するとともに、上記孔の近くに取り付けられた制止部材によって動きを制止可能であり、上記吊上索の動きを制止することで、上記複数の広げ枠を上記ハンガー主体の下側へ重ね付け可能としたことを特徴とする。
【０００８】
請求項３に係る発明は、請求項１又は請求項２において、上記ハンガー主体が長さを上記広げ枠に近い寸法に形成されて、両端にガイドに案内させて外側へ移動させると、上衣の袖部へ挿し入れられ、内側へ移動させると袖部から外れる長さの調整部材を取り付けられていることを特徴とする。
【０００９】
請求項４に係る発明は、請求項１又は請求項２において、上記ハンガー主体の上側に取り付けられた上記吊鉤が、その基部をハンガー主体へ回動可能に取り付けられて、ハンガー主体の上側へ畳み付けられるようにしてあることを特徴とする。
【００１０】
請求項５に係る発明は、ハンガー主体に腰部を支持された二股形下衣の腰部から脚部の内部に、重ね付けた広げ構造を入れた後に、上記広げ構造の下端を重力の作用で降下させることにより、上記腰部から上記脚部を筒状に広がらせる物干しハンガーであって、上記ハンガー主体は、ズボンの腰部を嵌め付けて、止具で離脱しないようにする枠体が上部に吊鉤を取り付けられたものであり、上記胴部及び脚部の広げ構造は、ズボンの腰部から脚部への先細りに適合するように形成された広げ枠の複数が、可撓性の連結紐で上下方向に所定の間隔を保つように連結された左用と右用の２組であって、各組の上端の広げ枠は連結紐で上記ハンガー主体の下側へ取り付けられ、下端の広げ枠は胴部及び脚部を広がらせるのに必要な重力が得られる重さを有して、中心部に設けられた止索部に吊上索の先端が止着され、上記吊上索は、ハンガー主体に開けられた孔と他の広げ枠の内側とを通過するとともに、上記孔の近くに取り付けられた制止部材によって動きを制止可能であり、上記吊上索の動きを制止することで、上記複数の広げ枠を上記ハンガー主体の下側へ重ね付け可能としたことを特徴とする。
【発明の効果】
【００１１】
請求項１に係る発明によれば、上衣の胴部内へ広げ構造が重ね付けられたハンカー主体を挿し入れて引上索の制止を解けば、下端の広げ枠が重力の作用で降下して、胴部を広げながら他の広げ枠を順次に引き下げ、連結紐で規定される間隔で胴内に配置されるから、上着の胴部は筒状に広げられて、この状態を風や他の力が作用しても潰れずに、胴部に多くの日照や通風が得られる状態を保持し続けるから、上着を型崩れすることもなく短時間で乾燥させることができる。
また、複数の広げ枠をハンガー主体の下側へ重ね付ける広げ構造を用いるため、胴部内への挿し入が容易であって、挿し入れ後、吊上索の制止を解けば広げ枠が重力の作用で降下し、瞬時に胴部を筒状に広がらせるから、この作業が１０秒以内の短時間で確実に行なわれて、人の労力節減にも著しく効果があり、構造が簡単であるため廉価に市場提供することも可能ある。
【００１２】
請求項２に係る発明によれば、ワンピース、コート等の上下繋ぎ衣に対応して、広げ構造を胴部、腰部、脚部を包括するように広げ枠の数を増してあるから、上下繋ぎ衣に対して請求項１と同様の効果を奏し得る。
【００１３】
請求項３に係る発明によれば、ハンガー主体の長さを広げ枠に近い寸法に短縮できるから、胴部への挿し入れるために衣服の変形や引き伸ばしをする手数を減らしたり、なくしたりすることで差し入れを一層容易にすることができ、特に厚手生地の衣服には効果が大きい。
【００１４】
請求項４に係る発明によれば、ハンガー主体の上に立ち上がる吊鉤がハンガー主体の上へ畳み付けられるから、孔から頭を出して着る前閉じ衣服へ下側から挿しれるのに効果的であり、また、収納するときもハンガー主体の上が平らになって安定した重ね積みを可能とする。
【００１５】
請求項５に係る発明によれば、ズボン等の二股衣に対応して、ハンガー主体１の下側に１組の腰胴から脚部への広げ構造を設けたから、ズボンの腰部から二股部を筒状に広がらせて乾燥し易くすることが請求項１及び請求項２と同様に行なわれる。
【図面の簡単な説明】
【００１６】
【図１】上衣用の物干しハンガーが広げ構造の重力による降下で上衣の胴部を筒状に広がらせた状態の正面図
【図２】図１に示す状態の平面図
【図３】同上の広げ構造がハンガー主体の下側へ重ね付けられた状態の正面図
【図４】同上のハンガー主体へ吊鉤が伏自在に取り付けられた説明図
【図５】同上のハンガー主体へ吊上索を制止させるように制止部材が取り付けられた説明図
【図６】同上のハンガー主体の構造を示す正面図
【図７】同上ハンガー主体へ広げ構造を取り付ける取付部材の平面図
【図８】同上ハンガー部材の変形例を示す正面図。
【図９】図８に示すハンガー主体へ取り付ける長さ調整部材の斜視図。
【図１０】同上ハンガー主体の長さを調整部材で増した状態の正面図
【図１１】胴部の広げ構造を構成させる広げ枠の下端以外のものを示す平面図
【図１２】同上広げ枠の下端のものを示す平面図
【図１３】（ａ）（ｂ）は、広げ枠の連結紐へ広げ枠を位置ずれを生じないように止着した２例を示す説明図。
【図１４】上下繋ぎ衣用の物干しハンガーが広げ構造の重力による降下で胴部、腰部、脚部を筒状に広げられた状態の正面図
【図１５】二股下衣用の物干しハンガーが広げ構造の重力による降下で腰部から脚部を筒状に広げられた状態の正面図
【図１６】図１５に示す状態の平面図
【図１７】同上の広げ構造がハンガー主体の下側へ重ね付けられた状態の正面図
【図１８】同上のハンガー主体の構造を示す平面図
【図１９】同上のハンガー主体へ二股下衣の止具が取り付けられた状態の説明図
【図２０】同上のハンガー主体へ吊上索の制止部材が取り付けられた状態の説明図。
【図２１】同上の広げ構造を構成させる広げ枠の下端の以外のものを示す平面図
【図２２】同上の広げ枠の下端のものを示す平面図。
【発明を実施するための形態】
【実施例１】
【００１７】
以下に本発明に係る物干しハンガーの上衣に適した実施形態を図面に基づいて説明する。
【００１８】
図１〜図３において符号Ａは、ハンガー主体１に支持された上衣２の胴部ロを、広げ構造３を内側に入れて重力の作用で降下させることにより、筒状に広がらせる物干しハンガーであって、上記ハンガー主体１は、両端に上衣２の両肩部イ、イが掛る長さを有して、中央部の上側には吊鉤４を取り付けられ、上記胴部ロの広げ構造３は、複数の広げ枠５が可撓性の連結紐６で所定の間隔を保つように連結されて、上端の広げ枠５は上記連結紐６で上記ハンガー主体１の下側へ取り付けられ、下端の広げ枠５は、胴部を広がらせるのに必要な重力が得られる重さを有して、中心部に設けられた止索部７にハンガー主体１に開けられた孔８と、他の広げ枠５の内側を通した吊上索９の下端を止着されている構成のものである。
【００１９】
上記ハンガー主体１は、図６に示す通り、木材の加工又は合成樹脂の成形等で、上記の通り両端に上衣２の両肩部イ、イが掛る寸法に形成されて、両端の上角部には面取りを施され、長さの中心部には上記の通り吊上索９を通す孔８を開けられており、下側には図７に示す通り上記広げ枠５と同じ枠形であって、内側に一対の連結片１０を設けられた広げ構造３の取付部材１１が、周縁の一部をハンガー主体１に設けられた受溝１２へ係合させて取り付けられている。そして、ハンガー主体１への上記吊鉤４の取り付けは、図１及び図２に示す通り吊鉤４の下部を二股に分かれさせて先端を外側へ折曲げ、これら折曲げ部１３、１３を図４に示す通りハンガー主体１へ取り付けられた取付具１４、１４に支持させることで、吊鉤４を図４に示す通りに起したり、倒したりできるようにし、また、取付部材１１へ広げ構造３の連結紐６を止着するには、図７に示す通り取付部材１１の前部及び後部に離隔させて一対ずつの孔１５、１５をそれぞれ開けて、位置ずれを生じない止着を行なう。
【００２０】
また、上記ハンガー主体１は、上着２が前を広げてハンガー主体１を内側へ挿し入れることができない場合は、下側から上着２の内部へハンガー主体１を挿し入れなければならないから、ハンガー主体１が短い程、挿し入れが容易になるから、図８に示す通りハンガー主体１の長さを広げ枠５に近い寸法に形成して、その両側に金属の加工又は合成樹脂の成形で図９に示す通りに形成した長さ調整部材１６、１６を図１０に示す通り被せ付け、これら調整部材１６、１６を外側へ移動させると上衣２の袖部ハへ挿入され、内側へ移動させると上衣２の袖部ハから外れるようにすることができる。
【００２１】
上記調整部材１６は、図９に示すハンガー主体１の中心から端部に達する長さの側板１６ａ、１６ａと、これら側板１６ａ、１６ａの外側上部を覆うように形成した覆片１６ｂとで構成されて、上記一対の側板１６ａ、１６ａに、内端から外端に至る長孔１７をそれぞれ形成され、これら長孔１７にハンカー主体１に取り付けられたガイドピン１８を係合させて、調整部材１５、１５の内外への移動によるハンガー主体１の長さ調整が確実に行なわれるようにしてある。
【００２２】
上記胴部の広げ構造３は、上記の通り複数、通常は数個の広げ枠５が図１に示す通りを可撓性の連結紐６で所定の間隔を保持するように連結されて、この状態では胴部ロの丈に近い長さを有する。しかし、各広げ枠５が重ね付けられると広げ枠５の厚さの和よりも若干厚い程度になるものであり、上記広げ枠５は、下端のものを除いて、図１１に示す通り上着２の胴部ロに対応する形状と大きさの内空形であって、薄くて平らなものに金属板の加工か合成樹脂の成形で形成されて、前部及び後部に離隔して一対ずつの連結紐６を通す１９、１９を設けられ、全体には降下時の空気抵抗を減らす孔２０と切込２１を多数形成され、下端の広げ枠５は内部に交差アーム２２、２３が存在して、広げ枠５の中心に吊上索９の止索部２４が設けられるようにするとともに、胴部ロを広がらせるのに必要な重力が得られるように他のものより肉厚にするか、図面には示してない錘を付設する等で重量を付けてある。
【００２３】
上記複数の広げ枠５を所定の間隔で連結させる連結紐６は、各広げ枠５の間で自在に屈伸できる紐、鎖、軟質線材等を用いるもので、各広げ枠５に開けられた孔１９に挿し通して、広げ枠５の両側へ図１３（ａ）の通り鳩目２５をかしめ付けるか、図１３（ｂ）の通り結び玉２６を作って、広げ枠５が位置ずれを生じないように連結紐６へ止着されるようにしてある。
【００２４】
上記下端の広げ枠５を引き上げさせる上記吊上索９は、軟質で可撓性があるロープ等を用いるもので、下端を広げ枠５の下端のものの中心部に設けられた止着部２４に開けられた孔２７を通して図１３に示す等の手段で止着する。そして、吊上索９は上側に位置する各広げ枠５の内側とハンガー主体１に開けられた孔８を通して上方へ引き出されるから、孔８の近くには斜面２８の作用で吊上索９を挟圧して、吊上索９の動きを制止させる制止部材２９が取り付けられている。
【００２５】
上記構成の物干しハンガーＡは、前開き上衣の乾燥に使用するときは、ハンガー主体１とその下側へ複数の広げ枠５が重ね付けられている胴部の広げ構造３を、上衣２の前開きの一方の上側を広げて、ハンガー主体１の左端が左側の袖部ハへ納まるように胴部ロの内へ挿し入れてから、前開きの他方の上側をも広げて、ここからハンガー主体１の右端が右側の袖部ハへ納まるように胴部ロ内に挿し入れて、広げられた前開きを公知のボタン又はファスナーで閉じると、ハンガー主体１と広げ構造３が胴部ロの内側に収容される。そこで、制止部材２９に制止されていた吊上索９を制止部材２９から外すと、下端の広げ枠５が重力の作用で降下して、連結紐６で連結されている他の広げ枠５を下側のものから順次に引き降ろし、下端の広げ枠５が胴部ロの下部へ達すると停止して、複数の広げ枠５で上衣２の胴部ロは筒状に広がらせて乾燥し易い状態にするもので、その所要時間は１０秒程度で重力の利用により大変楽に行なわれる。
【００２６】
上記の通りハンガー主体１に支持させた上着が乾燥されれば、吊上索９を引き上げて下端の広げ枠５を上昇させると、他の広げ枠５が下側のものから順次に持ち上げられて、上端の広げ枠５がハンガー主体１に取り付けられた取付部１１へ当ると止まるので、このとき吊上索９を制止部材２９へ係合させて動きを制止させれば、複数の広げ枠５はハンガー主体１の下側へ重ね付けられるから、ハンガー主体１と広げ構造３を上衣２の胴部ロから容易に取り出すことができて、取り出されたハンガー主体１は、広げ枠５の重ね付けで嵩張らず安定して収納に便利である。
【００２７】
また、上衣２が孔から頭を出して着る前閉じ衣の場合は、上衣２の胴部ロの下側を広げて、ここから胴部ロ内へハンガー主体１と広げ構造３を、ハンガー主体１一方の端部が同側の袖部ハへ向かうように斜めに挿し入れて端部を袖部ハへ収まらせてから、上衣２の反対の袖部ハ側を引張って胴部ロを変形させ、ハンガー主体１と広げ構造３をハンガー主体１の他方の端部が同側の袖部ハに合わせされるように上げて、上記引張りを戻せば上衣２をハンガー主体１に支持させることが出来る。しかし、この場合は、布の引き伸ばしを行なうため、上着の材質によっては型崩れを生じ易くて、人の力が必要であり、胴部ロへのハンガー主体１と広げ構造３の挿し入れに時間が掛るから、ハンガー主体１を図８〜図１０に示す通り調整部材１６、１６の移動で長さを調整できるようにすれば上記欠点を解消することができる。
【００２８】
次に本発明の物干しハンガーのコート、ワンピース等の上下繋ぎ衣に適した実施形態を図面に基づいて説明する。
【００２９】
図１４において符号Ｂは、この実施形態の物干しハンガーを示すもので、この実施形態は対象とする衣服が上下繋ぎ衣であるため、胴部等の広げ構造に使用する広げ枠の数が多くなる点が異なるだけで、上記物干しハンガーＡと同一構造の部品を使用するから、同一部品には同一符号を付して以下にその構成を説明すると、ハンガー主体１に肩部イを支持された上下繋ぎ衣３０の胴部ロ、腰部ニ、脚部ニまでを、広げ構造３を内部に入れて重力の作用で降下させることで筒状に広がらせるものであって、上記ハンガー主体１は、両端に上下繋ぎ衣の両肩部イ、イが掛る長さを有して、中央部の上側には吊鉤４を取り付けられ、上記胴部ロ、腰部ニ、脚部ニまでの広げ構造３は、多数の広げ枠５図１４においては８個が可撓性の連結紐６で所定の間隔を保つように連結されて、上端の広げ枠５が連結紐６で上記ハンガー主体１の下側へ取り付けられ、下端の広げ枠５は、胴部ロを広がらせるのに必要な重力が得られる重さを有して、中心部に設けられた止索部７にハンガー主体１に開けられた孔８と、他の広げ枠５の内側を通した吊上索９の下端が止着されているものである。
【００３０】
上記構成の物干しハンガーＢは、上下繋ぎ衣服３０の胴部ロの上側に物干しハンガーＡの場合と同様、ハンガー主体１と広げ構造３を胴部ロの内へ収容する。そして、制止部材２９に制止されている吊上索９を制止部材２９から外すと、下端の広げ枠５が重力の作用で降下し、連結紐６で連結されている他の広げ枠５を下側のものから順次に引き降ろして、下端の広げ枠５が脚部ニの下部へ達すると停止して、複数の広げ枠５で上衣３０の胴部ロ、腰部ニ、脚部ホを筒状に広がらせて乾燥し易い状態にするもので、その所要時間は１０秒程度であって重力の利用で大変楽に行なわれる。
【００３１】
上記の通りハンガー主体１に支持させた上下繋ぎ衣服３０が乾燥されゝば、吊上索９を引き上げて下端の広げ枠５を上昇させると、他の広げ枠５が下側のものから順次に持ち上げられて、上端の広げ枠５がハンガー主体１に取り付けられた取付部１１へ当ると止まるので、このとき吊上索９を制止部材２９に係合させて動きを制止すれば、複数の広げ枠５はハンガー主体１の下側へ重ね付けられるから、ハンガー主体１と広げ構造３を上衣２の胴部ロから容易に取り出すことができて、取り出されたハンガー主体１は広げ枠５の重ね付けで嵩張らず安定して収納に便利である。
【００３２】
次に、本発明に係る物干しハンガーのズボン等の二股下衣に適した実施形態を図面に基づいて説明する。
【００３３】
この物干しハンガーは、二股下衣の脚部に適合させて広げ構造を１組設ける点で上記２実施形態とは構成が異なるが、複数個所に同一部材が使用されるので、これら部材については共通の符号を付すことで説明は省略して以下に構成を説明する。
【００３４】
図１５〜１７において符号Ｃは、ハンガー主体３１に腰部ニを支持された二股下衣３２の腰部ニから脚部ホを、広げ構造３３、３３を内部に入れて重力の作用で降下させることにより、筒状に広がらせる物干しハンガーであって、上記ハンガー主体３１は、二股下衣３２の腰部ニを嵌め付けて、止具３４で離脱しないようにする枠体が上部に吊鉤３５を取り付けられたものであり、上記腰部ニから脚部ホの広げ構造３３、３３は、二股下衣３２の腰部ニから脚部ホへの先細りに適合するように形成された広げ枠３６の複数が、可撓性の連結紐６で所定の間隔を保つように連結された左用と右用の２組を有して、各組の上端の広げ枠３６は連結紐６で上記ハンガー主体３１の下側へ取り付けられ、下端の広げ枠３６は腰部ニから脚部ホを広がらせるのに必要な重力が得られる重さを有して、中心部に設けられた止索部３７に上記ハンガー主体３０に開けられた孔３８と、他の広げ枠３６の内側を通した吊上索９の下端を止着される構成のものである。
【００３５】
上記ハンガー主体３１は、図１８に示す通り、二股下衣３２の腰部ニに対応する形状と大きさの枠状に金属板の加工又は合成樹脂の成形で形成されたものであって、内側の中央部に上記吊上索９、９の支持片３８を設けられ、この支持片３８の前後には、上記広げ構造３３、３３を構成する広げ枠３６の上端のものを連結紐６、６で取付ける一対の取付片３９、３９を設けられて、上記支持片３８には、吊上索９、９を通す一対の孔４０、４０を脚部ホ、ホの間隔に合わせて開けられ、これら孔４０、４０の近くには、図２０に示す通り、斜面２８を利用して吊上索９を挟圧させることで、吊上索９の動きを制止させる制止部材２９、２９を取り付けられ、また、一対の取付片３９、３９には、一組のズボン広げ構造３３、３３における上端の広げ枠３５、３５を連結紐６、６で取り付けられる孔４１、４１が開けられている。
【００３６】
また、このハンガー主体３１は、上側の中央部に図１６に示す通り、紐又は鎖４２等で竿、ロープ、構造物への上記吊鉤３５を取付けられ、周囲の上側にはハンガー主体３１に嵌め付けられた二股下衣３２を離脱しないように止めるクリップ等の上記止具３４が一対の挟み片３４ａ、３４ｂの一方をハンガー主体３１へ止着することで動かないように取り付けられている。
【００３７】
上記１組の胴部ロから脚部ニまでの広げ構造３３、３３は、複数、通常は７、８個の広げ枠３６が可撓性を有する連結紐６で所定の間隔を保持するように連結されて、この状態では腰部ニから脚部ホまでの丈に近い長さが得られるが、各広げ枠３６を重ね付けるとこれらの厚さの和よりも少し厚い程度になるようにしたものであり、上記広げ枠３６は、下端のものを除いて、図２１に示す通り腰部ニから脚部ホまでの形状と大きさの変化に合うように形状と寸法が変化された内空形で薄くて平らな形状に金属板の加工か合成樹脂の成形で形成され、その前部及び後部に一対ずつの孔４３、４３を、全体には降下時に受ける空気抵抗を減らすための孔４４と切込４５を多数形成され、下端の広げ枠５は内部に交差アーム４６、４７が存在して、広げ枠３６の中心に吊上索９の止着部４８を設けられるとともに、胴部ロから脚部ニを広がらせるのに必要な重力が得られるように他のものより肉厚にするか、図面には示してないが錘等の付設等で適切な重量が得られるようにしてある点で、他の広げ枠３６と異なるが、孔４３、４３及び孔４４と切込４５は同様に設けられる。
【００３８】
上記構成の物干しハンガーＣは、二股下衣３２の腰部ニの上端を図１５図、１６に示す通りハンガー主体３１の外側へ嵌め付けて、その複数個所をクリップ等の止具３４でハンガー主体３１へ固定すると、二股下衣３２の腰部ニ内に一対の脚部ホ、ホに対応させて、複数の広げ枠３６が重ね付けられた１組の広げ構造３３、３３が収容されるから、そこで、制止部材２９に制止されている１組の吊上索９、９を制止部材２９、２９から外すと、下端の広げ枠３６が重力の作用で降下されて、連結紐６で連結されている他の広げ枠３６を下側のものから順次に引き降ろして、脚部ホの下部へ到達すると停止するので、二股下衣３２の腰部ニから一対の脚部ホ、ホまでが各広げ枠３６、３６によって筒状に広げられて、二股下衣３２を乾燥し易い状態とするものであって、その所要時間は１０秒程度であり、広げの動力に重力を利用するから作業が至って楽に行われる。
【００３９】
また、ハンガー主体３１に支持させた二股下衣３２が乾燥されゝば、吊上索９を引き上げて下端の広げ枠３６を上昇させると、他の広げ枠３６が下側のものから順次に持ち上げられて、上端の広げ枠３６がハンガー主体３１に取り付けられた取付部３９へ当ると止まるので、このとき吊上索９、９を制止部材２９、２９に係合させて動きを制止すれば、複数の広げ枠３６、３６はハンガー主体３１の下側へ重ね付けられるから、ハンガー主体３１と広げ構造３３、３３を二股下衣３２の胴部ロから容易に取り出すことができて、取り出されたハンガー主体１は広げ枠３６の重ね付けで嵩張らず安定して収納に便利である。
【産業上の利用可能性】
【００４０】
本発明に係る物干しハンガーは、ハンガー主体に支持させた衣類の胴部等を筒状に広がらせて乾燥し易くする作業を重力の利用で簡便に迅速に行なうことが可能となる。
【符号の説明】
【００４１】
Ａ  物干しハンガー
１  ハンガー主体
２  上衣
イ  肩部
ロ  胴部
３  広げ構造
５  広げ枠
７  止索部
８  孔
９  吊上索
【図１】
0005822196.tif 000002
【図２】
0005822196.tif 000003
【図３】
0005822196.tif 000004
【図４】
0005822196.tif 000005
【図５】
0005822196.tif 000006
【図６】
0005822196.tif 000007
【図７】
0005822196.tif 000008
【図８】
0005822196.tif 000009
【図９】
0005822196.tif 000010
【図１０】
0005822196.tif 000011
【図１１】
0005822196.tif 000012
【図１２】
0005822196.tif 000013
【図１３】
0005822196.tif 000014
【図１４】
0005822196.tif 000015
【図１５】
0005822196.tif 000016
【図１６】
0005822196.tif 000017
【図１７】
0005822196.tif 000018
【図１８】
0005822196.tif 000019
【図１９】
0005822196.tif 000020
【図２０】
0005822196.tif 000021
【図２１】
0005822196.tif 000022
【図２２】
0005822196.tif 000023